(57)【要約】【課題】揺らぎの少ない照明装置を提供する。【解決手段】ＬＥＤ照明装置１は、光源としての発光素子を備える光源部（２０）と、光源部（２０）を表側に搭載し且つ裏側が発光素子からの熱を放出する放熱部（３０）と、放熱部（３０）の表側に配され且つ前記光源部の光出射側を覆う透光性カバー部（４０）と、光源部（２０）の光出射側に配され且つ内側に反射面を有する筒状の反射部（５０）とを備え、反射部（５０）は放熱部（３０）と離間している。【選択図】図１４
2018081892.tif 000002
【特許請求の範囲】
【請求項１】
光源としての発光素子を備える光源部と、
前記光源部を表側に搭載し且つ裏側が前記発光素子からの熱を放出する放熱部と、
前記放熱部の表側に配され且つ前記光源部の光出射側を覆う透光性カバー部と、
前記光源部の光出射側に配され且つ内側に反射面を有する筒状の反射部と
を備え、
前記反射部は前記放熱部と離間している
照明装置。
【請求項２】
前記光源部は前記発光素子を複数個実装する基板を備え、
前記透光性カバー部は、前記基板における発光素子実装領域の外側に当接する当接部と、前記当接部の内周縁から前記光源部の光出射方向にドーム状に膨らんで前記光源部の光出射側を覆う光源カバー部とを有し、
前記反射部は、表裏両側が開口した筒状のフレーム部の内側に支持されている
請求項１に記載の照明装置。
【請求項３】
前記透光性カバー部は、前記当接部における前記光源カバー部と反対側に張り出す張出部分で前記放熱部に固定され、
前記フレーム部は、前記透光性カバー部の外周側で前記放熱部に当接する状態で、前記放熱部に固定されている
請求項２に記載の照明装置。
【請求項４】
前記透光性カバー部は凸状のマイクロレンズ部を前記光源部の光出射側を覆う部分に有する
請求項１から３の何れか１項に記載の照明装置。
【請求項５】
前記透光性カバー部は凹状のマイクロレンズ部を前記光源部の光出射側を覆う部分に有する
請求項１から３の何れか１項に記載の照明装置。
【請求項６】
前記反射面は、光出射方向の中心軸を光軸としたとき前記光源部から前記光軸が延伸する光軸方向に離れるにしたがって拡開し、前記光軸に向かってドーム状に突出する多数の凸部を周方向及び前記光軸方向に有する
請求項１から５の何れか１項に記載の照明装置。
【発明の詳細な説明】
【技術分野】
【０００１】
本発明は、光源としての発光素子を備える照明装置に関する。
【背景技術】
【０００２】
照明装置として設置面の開口を利用して取り付けられるダウンライトが提案されている（例えば特許文献１）。
特許文献の図８に記載の照明装置は、光源としてのＬＥＤ素子（６）を備える光源部と、光源部を表側に搭載し且つ裏側がＬＥＤ素子（６）からの熱を放出する放熱部（２）と、放熱部（２）の表側に固定され且つ光源部の光出射側を覆う透光性カバー部（８）と、光源部の光出射側に配され且つ内側に反射面を有する筒状の反射部（３）とを備える。
【先行技術文献】
【特許文献】
【０００３】
【特許文献１】特許第５９５５０４７号公報
【発明の概要】
【発明が解決しようとする課題】
【０００４】
上記照明装置では反射部が放熱部に固定されている。このため、点灯時や室内の温調変更時に発光素子の発熱により反射部が熱変形し、所謂、照明の揺らぎが生じる。
本発明は、揺らぎの少ない照明装置を提供することを目的とする。
【課題を解決するための手段】
【０００５】
本発明に係る照明装置は、光源としての発光素子を備える光源部と、前記光源部を表側に搭載し且つ裏側が前記発光素子からの熱を放出する放熱部と、前記放熱部の表側に配され且つ前記光源部の光出射側を覆う透光性カバー部と、前記光源部の光出射側に配され且つ内側に反射面を有する筒状の反射部とを備え、前記反射部は前記放熱部と離間している。
【発明の効果】
【０００６】
上記構成によれば、反射部が放熱部から離間しているため、発光素子の発光中の熱が反射部に伝わり難く、熱変形による照明の揺らぎを少なくできる。
【図面の簡単な説明】
【０００７】
【図１】（ａ）は照明装置を表側から見た斜視図であり、（ｂ）は照明装置を裏側から見た斜視図である。
【図２】（ａ）は照明装置の断面を裏側から見た斜視図であり、（ｂ）は照明装置の断面を表側から見た斜視図である。
【図３】照明装置の分解状態を表側から見た斜視図である。
【図４】照明装置の分解状態を裏側から見た斜視図である。
【図５】光源部を表側から見た図である。
【図６】（ａ）は放熱部を表側から見た図であり、（ｂ）は放熱部を裏側から見た図である。
【図７】（ａ）は透光性カバー部を表側から見た図であり、（ｂ）は透光性カバー部を裏側から見た図である。
【図８】（ａ）は透光性カバー部を表側から見た斜視図であり、（ｂ）は透光性カバー部を裏側から見た斜視図である。
【図９】（ａ）は反射部を裏側から見た図であり、（ｂ）は反射部を側方から見た図である。
【図１０】（ａ）はフレーム部を表側から見た図であり、（ｂ）はフレーム部を裏側から見た図である。
【図１１】（ａ）はフレーム部を表側から見た斜視図であり、（ｂ）はフレーム部を裏側から見た斜視図である。
【図１２】（ａ）は給電ケーブル付きのケーブル固定具を表側から見た斜視図であり、（ｂ）は給電ケーブル付きのケーブル固定具を裏側から見た斜視図であり、（ｃ）はケーブル固定具を裏側から見た斜視図である。
【図１３】照明装置の組み立てを説明する図である。
【図１４】照明装置の断面図である。
【図１５】照明装置の断面図である。
【図１６】反射部が異なる照明装置を表側から見た斜視図である。
【発明を実施するための形態】
【０００８】
＜概要＞
実施形態の一態様に係る照明装置は、光源としての発光素子を備える光源部と、前記光源部を表側に搭載し且つ裏側が前記発光素子からの熱を放出する放熱部と、前記放熱部の表側に配され且つ前記光源部の光出射側を覆う透光性カバー部と、前記光源部の光出射側に配され且つ内側に反射面を有する筒状の反射部とを備え、前記反射部は前記放熱部と離間している。
実施形態の別態様に係る照明装置において、前記光源部は前記発光素子を複数個実装する基板を備え、前記透光性カバー部は、前記基板における発光素子実装領域の外側に当接する当接部と、前記当接部の内周縁から前記光源部の光出射方向にドーム状に膨らんで前記光源部の光出射側を覆う光源カバー部とを有し、前記反射部は、表裏両側が開口した筒状のフレーム部の内側に支持されている。これにより、反射部を簡単な構成で支持できる。
実施形態の別態様に係る照明装置において、前記透光性カバー部は、前記当接部における前記光源カバー部と反対側に張り出す張出部分で前記放熱部に固定され、前記フレーム部は、前記透光性カバー部の外周側で前記放熱部に当接する状態で、前記放熱部に固定されている。これにより、発光部を遮ることなく、フレームを固定できる。
実施形態の別態様に係る照明装置において、前記透光性カバー部は凸状のマイクロレンズ部を前記光源部の光出射側を覆う部分に有する。これにより、照射面の照度を均一化できる。
実施形態の別態様に係る照明装置において、前記透光性カバー部は凹状のマイクロレンズ部を前記光源部の光出射側を覆う部分に有する。これにより、照射面の照度を均一化できる。
実施形態の別態様に係る照明装置において、前記反射面は、光出射方向の中心軸を光軸としたとき前記光源部から前記光軸が延伸する光軸方向に離れるにしたがって拡開し、前記光軸に向かってドーム状に突出する多数の凸部を周方向及び前記光軸方向に有する。これにより、グレアを防止できる。
【０００９】
＜実施形態＞
１．概要
実施形態に係る照明装置１は、天井壁等の設置面の開口に嵌合する状態で使用する、所謂、ダウンライトである。
照明装置１は設置面に対して直交する方向を照射する装置である。設置面が天井壁の場合、照射方向は下方となる。ここで、光の出射方向である光主射方向を表側とし、設置面側を裏側とする。
照明装置１は、図２〜図４に示すように、光源部２、放熱部３、透光性カバー部４、反射部５を備える。ここでの照明装置１はさらにフレーム部６を備える。以下、図３及び図４を用いて、その概略を説明する。
【００１０】
光源部２は光源としてのＬＥＤ素子２１を基板２３に備える。放熱部３は、光源部２を表側に搭載し、ＬＥＤ素子２１からの熱を裏側に放出する。つまり、放熱部３は、光源部２を表面に搭載するベース３１と、ベース３１の裏面から裏側に延伸する複数のフィン３３とを有する。透光性カバー部４は、図２に示すように、放熱部３の表側に固定され且つ光源部２を光出射側（表側）から覆う。反射部５は光源部２の光出射側に配され且つ内側に反射面（５１ａ）を有する。フレーム部６は反射部５を支持し且つ放熱部３に取り付けられる。
本実施形態では、光源部２はＬＥＤモジュール２０により、放熱部３は放熱体３０により、透光性カバー部４はカバー体４０により、反射部５は反射体５０により、フレーム部６はフレーム体６０によりそれぞれ構成されている。
以下、各部の詳細について説明する。
【００１１】
２．光源部
主に図５を用いて説明する。
光源部２は、複数個のＬＥＤ素子２１を基板２３に備えるＬＥＤモジュール２０により構成される。ＬＥＤモジュール２０は、給電ケーブル９０と接続する２個のコネクタ２５を基板２３に備える。なお、給電ケーブル９０は、例えば、設置面の裏側に配された電源ユニット（図示省略）に接続されている。
ＬＥＤ素子２１は、定格点灯時の１個の消費電力が０．１［Ｗ］以上１［Ｗ］以下に設定された、所謂、「Ｍｉｄ  Ｐｏｗｅｒ」タイプである。「Ｍｉｄ  Ｐｏｗｅｒ」タイプは光−電力の変換効率が高いという特長があり、ＬＥＤ素子２１からの発熱がすくないことから放熱部３（ヒートシンク）を小型化できる利点がある。
【００１２】
基板２３の表面は、ＬＥＤ素子２１を実装するための実装領域２８と、実装領域２８の外周側に位置し且つＬＥＤ素子２１を実装しない非実装領域２９とを有する。ここでの実装領域２８は図中の２点鎖線に示す円の内側である。
ＬＥＤ素子２１は、横・縦比が２：１の矩形状に近い状態で配されると共に矩形状の外側にも配されている。基板２３の裏面は平坦面である。なお、ＬＥＤ素子２１を矩形状に配することにより、リング状や放射状にＬＥＤ素子を配置するよりも、配線設計を容易にできる。
【００１３】
非実装領域２９は、例えば、円形状の実装領域２８の外側に位置する円環部２９ａと、円環部２９ａにおける５個所の部位から外側に張り出す張出部２９ｂ，２９ｃにより構成される。
張出部２９ｂにはＬＥＤモジュール２０を放熱体３０のベース３１に搭載する（取り付ける）ための取付機構を有する。ここでは、ＬＥＤモジュール２０の放熱体３０への取り付けに取付具の一例であるねじ９１（図３及び図４参照）を利用し、取付機構は貫通孔２３ａにより構成される。張出部２９ｃには２個のコネクタ２５が設けられている。
【００１４】
３．放熱部
主に図６を用いて説明する。
放熱部３はベース３１とフィン３３とを一体に有する放熱体３０により構成される。なお、放熱体３０は例えばアルミニウム材により構成されている。
【００１５】
（１）ベース
ベース３１は円板状をしている（図３及び図４参照）。ベース３１の表面は平坦状をしている。これにより基板２３の裏面との接触面積を確保できる。
ベース３１はＬＥＤモジュール２０を取り付けるための取付機構を有している。取り付けには上述のようにねじ９１（図３及び図４参照）を利用している。ベース３１はねじ９１用のねじ穴３１ａを複数個（例えば４個）有している。
ベース３１はカバー体４０用の仮止め機構を有している。ここでの仮止めにはカバー体４０のピン部分４３ｃ（図７及び図８参照）が利用される。ベース３１はピン部分４３ｃが挿入（嵌合）される穴３１ｂを複数個（例えば３個）有している。
ベース３１はカバー体４０、フレーム体６０を固定するための固定機構を有している。ここでは、カバー体４０、フレーム体６０が一体で固定され、フレーム体６０が固定具により固定される。固定具としてねじ９３（図３及び図４参照）が利用されている。ベース３１はねじ９３用の貫通孔３１ｃを複数個（例えば３個）有している。
ベース３１は給電ケーブル９０をＬＥＤモジュール２０側に導入するための欠け部分３１ｄと溝部分３１ｅを有している。欠け部分３１ｄは周縁から中心に向かって延伸する。溝部分３１ｅは欠け部分３１ｄから周方向に沿って円弧状に設けられている。なお、溝部分３１ｅの深さは給電ケーブル９０の表側部分が入る程度である。
【００１６】
（２）フィン
フィン３３はベース３１の裏面から裏側に板状に延伸する。フィン３３は、裏側から見たとき、ベース３１の中央を中心として径方向に延伸する。フィン３３は、ベース３１の中央側に設けられた複数の中央側延伸板３５と、中央側延伸板３５の外側に設けられた複数の外側延伸板３７とから構成される。中央側延伸板３５はベース３１の中心部分で連結されている。なお、フィン３３によりヒートシンクが構成される。
【００１７】
中央側延伸板３５における径方向の外側端部は、裏側から見たとき、板部分の厚みよりも大きい円形状をしている。中央側延伸板３５におけるベース３１の中央から外側端部のまでの部分は厚みが大小に変化する波状をしている。板状であるフィン３３の両面が波状をしているのでフィン３３の表面積が広く放熱効率が高い。
外側延伸板３７における径方向の両端部は、裏側から見たとき、板部分の厚みよりも大きい円形状をしている。外側延伸板３７における径方向の中間部分は厚みが大小に変化する波状をしている。
【００１８】
放熱体３０は、ベース３１の欠け部分３１ｄを基準にして溝部分３１ｅと反対側部分の裏側にフィン３３が設けられていない無フィン領域３４を有する。この無フィン領域３４には、図１及び図２に示すように、給電ケーブル９０を放熱体３０に固定するためのケーブル固定具７が配される。なお、３つのねじ９３のうち、ねじ９３ａ（図３及び図４参照）はケーブル固定具７を放熱体３０（ベース３１）に固定する固定具を兼用する。
【００１９】
４．透光性カバー部
主に図７及び図８を用いて説明する。
透光性カバー部４は透光性樹脂からなるカバー体４０により構成される。カバー体４０は、基板２３の実装領域２８の外側に当接する環状の当接部４１と、当接部４１の内側に配されＬＥＤモジュール２０の実装領域２８を覆う光源カバー部４２とを有する。なお、光源カバー部４２は当接部４１の内周縁からＬＥＤモジュール２０の光出射方向にドーム状に膨らむ。
カバー体４０は基板２３の周縁に沿って裏側に延伸する延伸部４３を有している。カバー体４０は基板２３に取り付けられているコネクタ２５や給電ケーブル９０を覆うコネクタカバー部４５を有している。
【００２０】
（１）当接部
当接部４１は、基板２３の実装領域２８の外側に位置する円環部分４１ａと、円環部分４１ａから径方向の外方に張り出す張出部分４１ｂ，４１ｃとを有する。つまり、当接部４１は、コネクタカバー部４５を除いて、基板２３の非実装領域２９の形状と設計上略一致する。
張出部分４１ｂは円環部分４１ａの周方向に間隔を置いて４個ある。カバー体４０は、基板２３を放熱体３０に取り付けるねじ９１（図３及び図４参照）の頭部を収容する収容部４７を張出部分４１ｂに有する。収容部４７は張出部分４１ｂから表側に半球状に膨出する。張出部分４１ｃは、基板２３の張出部２９ｃに対応して、円環部分４１ａからコネクタ２５の配置位置の手前まで延伸している。
【００２１】
コネクタカバー部４５は張出部分４１ｃの外側に箱状に設けられている。コネクタカバー部４５は張出部分４１ｃの外方端から表側に膨出した後に裏側に延伸する。これにより、コネクタカバー部４５はコネクタ２５や給電ケーブル９０を収容するための空間を確保している。コネクタカバー部４５は、表側から見たときに円弧状をし、その周方向の両端側が塞がれている。コネクタカバー部４５と光源カバー部４２との間に後述の反射体５０の裏側端部が配される。このため、コネクタカバー部４５における光源カバー部４２側は、裏側に移るにしたがって光源カバー部４２に近づくように傾斜している。この傾斜角度は後述する反射体の外周面の傾斜角度と略等しい。なお、コネクタカバー部４５における裏側端は延伸部４３の一部を構成する。
【００２２】
（２）光源カバー部
光源カバー部４２は照射面の照度を均一化するための機構を有している。具体的には、表側に突出する多数の凸部分４２ａが形成されている。凸部分４２ａはＬＥＤモジュール２０の光軸方向（ＬＥＤ素子２１の主出射方向と平行な方向である）に曲面状（ドーム状）又は多角形状に突出するマイクロレンズである。多数の凸部分４２ａは周期性を有するパターンで設けられている。ここでの凸部分４２ａは光源カバー部４２の表面にある。凸部分４２ａは、表側（ＬＥＤ素子２１の主出射方向）から見たときに、正六角形をし、平面充填されるパターンで設けられている。ここでは、１個の凸部分４２ａは直径２．３［ｍｍ］の円に内接する大きさである。凸部分４２ａの高さは０．２［ｍｍ］としている。
【００２３】
（３）延伸部
延伸部４３はＬＥＤモジュール２０を収容するように延伸する。具体的には、放熱体３０に取り付けられたＬＥＤモジュール２０を覆う状態で、延伸部４３の裏側端がベース３１に当接する（図２、図１４及び図１５参照）。延伸部４３の内周面は基板２３の周端面（主面と直交する面）と近接対向する。延伸部４３の延伸長さ（高さ）は基板２３の厚みより少し大きい。
【００２４】
延伸部４３について延伸方向（表裏方向）と直交する方向を厚み方向とすると、当接部４１の張出部分４１ｂ，４１ｃに対応する張出側部分４３ａの厚みが、当接部４１の張出部分４１ｂ間及び張出部分４１ｂと張出部分４１ｃの間に対応する張出間部分４３ｂの厚みより薄くなっている。換言すると、張出間部分４３ｂは平坦面を有している。
【００２５】
カバー体４０は放熱体３０のベース３１に仮固定されるための仮固定機構を有している。仮固定機構は、例えば、張出間部分４３ｂから裏側に延伸するピン部分４３ｃにより構成されている。なお、仮固定機構は位置決め機能も有する。
ピン部分４３ｃは放熱体３０のベース３１の穴３１ｂ（図６参照）に挿入される。ピン部分４３ｃは周方向に間隔を置いて複数個、例えば３個設けられている。
カバー体４０は放熱体３０に取り付けられた基板２３に対して位置合せする位置合せ機構を有している。位置合せ機構は、例えば、延伸部４３の内周面から円環部分４１ａの中心に向かって延伸するリブ部分４３ｄにより構成されている。リブ部分４３ｄは基板２３の欠け部２３ｂ（図５参照）に嵌合する。なお、リブ部分４３ｄはカバー体４０の中心を挟んで対向する２か所に設けられている。
【００２６】
５．反射部
主に図９を用いて説明する。
反射部５は表側拡がりの筒状をする筒部５１を有する反射体５０により構成される。ここでは、筒部５１は円筒状をしている。筒部５１の内周面５１ａ（図３及び図４参照）にはグレア防止のために高反射率の白色塗料が塗布されており、内周面５１ａは拡散面であるとともに高反射率の反射面となっている。なお、反射体５０は樹脂材料により構成されている。反射体５０は筒部５１の表側端に径方向外方へ張り出す外鍔部５３を有している。
【００２７】
反射体５０はフレーム部６に取り付けられるための取付機構を有する。取付機構は、例えばフレーム体６０との係合構造を利用している。取付機構は、筒部５１の外周面から裏側に延伸する延伸部５５と、延伸部５５の延伸先端から筒部５１の径方向の外方へ突出する突出部５７とから構成される。突出部５７はフレーム体６０の係合片６７ａ，６７ｂ（図１０及び図１１参照）に係合する。なお、延伸部５５と突出部５７とで係合片５６が構成される。
ここでの突出部５７は筒部５１の裏側端よりも裏側に位置する。
反射体５０が装置として組み立てられると、反射体５０の筒部５１の裏側端は、カバー体４０に接触することなく、光源カバー部４２の外周縁に近接する。つまり、筒部５１の裏側端はカバー体４０における当接部４１の円環部分４１ａと対向する。
【００２８】
６．フレーム部
主に図１０及び図１１を用いて説明する。
フレーム部６は、略まっすぐな筒状をする筒部６１を有するフレーム体６０により構成される。ここでは、筒部６１は円筒状をしている。フレーム体６０はカバー体４０を取り付けた状態で放熱体３０に固定される。フレーム体６０は樹脂材料により構成されている。
フレーム体６０は筒部６１の表側端に径方向の外方向延伸する外鍔部６３を有している。フレーム体６０は筒部６１の裏側端に中心に向かって延伸する内鍔部６５を有する。なお、外鍔部６３は設置面の開口縁を隠す機能を有する。
【００２９】
（１）筒部
フレーム体６０は、図１及び図２に示すように、照明装置１を設置面の開口に取り付けるための板ばね体８を支持する支持機構６９を筒部６１の外周に有している。ここでは周方向に間隔を置いて複数個、例えば３個ある。支持機構６９は、板ばね体８の支持部８１の幅方向の端面に沿って表裏方向に延伸する一対の縦大リブ６１ａと、一対の縦大リブ６１ａ間に設けられた複数本の縦小リブ６１ｂとを有している。板ばね体８の支持部８１は一対の縦大リブ６１ａ間に配され、複数本の縦小リブ６１ｂにより裏側から支持される。
筒部６１は裏側端面から裏側に延伸する延伸板部分６１ｃを有している。延伸板部分６１ｃは放熱体３０のベース３１の欠け部分３１ｄに挿入される。これにより欠け部分３１ｄを通過する給電ケーブル９０を外側から保護できる。また。延伸板部分６１ｃによりベース３１に対して位置決めできる。
【００３０】
（２）内鍔部
内鍔部６５は内周面から延伸する板状部分６５ａを有している。板状部分６５ａの延伸量は、場所によって異なり、図１３に示すようにカバー体４０の周縁形状に対応している。つまり、板状部分６５ａの内周縁形状はカバー体４０の周縁形状と相似する。そして、板状部分６５ａの内周縁により囲まれた領域にカバー体４０が配される。
筒部６１の裏側端は、カバー体４０における光源カバー部４２の中心から最も離れた部位（コネクタカバー部４５）までの距離よりも大きい長さを直径としている。このため、張出部分４１ｃに対応する筒部６１の内周部分には内鍔部６５が存在せず、コネクタカバー部４５の外周面が筒部６１の内周面に対向する。
【００３１】
内鍔部６５はカバー体４０の延伸部４３の外周面に対向する対向板部分６５ｂを有している。対向板部分６５ｂは板状部分６５ａの延伸先端に設けられている。対向板部分６５ｂは板状部分６５ａを補強するリブ機能を有する。対向板部分６５ｂの裏側端を結ぶ仮想面は、図１１の（ｂ）に示すように、筒部６１の裏側端を結ぶ仮想面と一致する。つまり、板状部分６５ａは筒部６１の裏側端の手前（裏側端よりも少し表側に移った位置）から延伸し、対向板部分６５ｂは板状部分６５ａの延伸先端から裏側に延伸する。
【００３２】
フレーム体６０は、カバー体４０の当接部４１の外周縁部を表側から支持する支持部６６を内鍔部６５に有している。支持部６６は対向板部分６５ｂから筒部６１の中心軸に向かって延伸する延伸部分６６ａを有している。延伸部分６６ａは対向板部分６５ｂに沿って設けられ、裏側から見ると円弧状をしている。
支持部６６はカバー体４０と当接する突部分６６ｂを延伸部分６６ａに有している。突部分６６ｂは延伸部分６６ａの周方向に間隔をおいた部位から裏側に突出する。
【００３３】
内鍔部６５は、フレーム体６０を放熱体３０に固定するねじ９３（図３及び図４参照）用のねじ孔６５ｆを有している。ねじ孔６５ｆは板状部分６５ａから表裏の両側に延伸するボス６５ｇに形成（インサート成形）されている。
内鍔部６５は一対の縦大リブ６１ａの裏側端（正確には裏側端から少し内側に入った部位である）と対向板部分６５ｂとを連結する一対の横リブ６５ｈを板状部分６５ａに有する。一対の横リブ６５ｈ間の内寸は板ばね体８の固定部８３の幅方向の外寸に一致している（図１３参照）。なお、一対の横リブ６５ｈ間に位置する対向板部分６５ｂとボス６５ｇの高さは、一対の横リブ６５ｈ間に配された板ばね体８と当接するように構成されている。
【００３４】
フレーム体６０は反射体５０を取り付けるための取付機構を有している。ここでは、取付機構は係合構造を利用する。フレーム体６０は反射体５０の係合片５６と係合する係合片を有している。係合片６７ａは１個で、係合片６７ｂは２個で、合計３個ある。係合片６７ａは筒部６１の内周面から中心軸に向かって板状に延伸する。係合片６７ｂは、内鍔部６５の板状部分６５ａを利用している。具体的には、板状部分６５ａに「Ｌ」字状に形成された溝６７ｃを利用している。溝６７ｃは長溝と短溝とが直交するように形成され、長溝が周方向に円弧状に延び、短溝が筒部６１の内周面と直交する状態で内周面まで延びる。係合片６７ｂは、短溝の隣であって長溝が延伸する側に存在し、長溝と筒部６１との間に存在する板状部分により構成されている。なお、短溝は反射体５０の係合片５６の挿入口を構成する。
２つの係合片６７ｂのうち、少なくとも１つの係合片６７ｂには裏側に突出する突起６７ｄが設けられている。突起６７ｄは、反射体５０の係合片５６が係合時の回転方向と反対方向に回転するのを防止する。なお、係合時の回転の際、反射体５０の係合片５６は弾性変形する。
【００３５】
７．ケーブル固定具
ケーブル固定具７は給電ケーブル９０を放熱体３０のベース３１に固定する。ケーブル固定具７は、固定具本体部７１と、固定具本体部７１から延伸する孔付板部７３と、固定具本体部７１から延伸し且つ屈曲自在に設けられて孔付板部７３と当接する当接板部７５とを有している。
固定具本体部７１は「Ｚ」字に湾曲する給電ケーブル９０を覆う。なお、給電ケーブル９０を「Ｚ」字に湾曲させることで、作業時に給電ケーブルに作用するテンションをケーブル固定具７で吸収させることができる。つまり、作業時のテンションによりＬＥＤモジュール２０から外れるのを防止している。
固定具本体部７１は一端が塞がった筒状を半割したような形状をしている。給電ケーブル９０は、固定具本体部７１の多端側で裏側に湾曲し、固定具本体部７１の一端側で表側に屈曲している。なお、給電ケーブル９０は固定具本体部７１の一端側で屈曲した後、ベース３１の欠け部分３１ｄから基板２３側に導入される。
【００３６】
固定具本体部７１の内面には給電ケーブル９０を押圧する押圧部分７１ａを固定具本体部７１の中心軸方向に間隔を置いて複数個（ここでは２個）有している。押圧部分７１ａは内周面から中心軸に向かって突出すると共に周方向に延伸している。
固定具本体部７１は位置決め用の突起７１ｂを複数個（２個）有している。２個の突起７１ｂは放熱部３のベース３１の欠け３１ｄに嵌る。
【００３７】
当接板部７５は、給電ケーブル９０を固定具本体部７１に配した状態で湾曲させると、給電ケーブル９０を押圧部分７１ａ側に押圧し、給電ケーブル９０を位置決めする。当接板部７５は固定具本体部７１の中心軸と直交する方向に長孔７５ａを有している。当接板部７５と孔付板部７３とが当接すると、孔付板部７３の孔７３ａと当接板部７５の長孔７５ａとが連通する。ねじ９３ａ（図３及び図４参照）は、孔付板部７３の孔７３ａ、当接板部７５の長孔７５ａ、ベース３１の貫通孔３１ｃ、板ばね体８の貫通孔８３ａを通過して、フレーム体６０のねじ孔６５ｆに螺合する。
【００３８】
８．組合状態
照明装置１の組み立てについて説明する。なお、ここでの組み立ては一例であり、他の方法でも組み立て可能である。
まず、ＬＥＤモジュール２０を放熱体３０のベースにねじ９１により取り付け、給電ケーブル９０とＬＥＤモジュール２０のコネクタ２５とを接続し、基板２３の形状に位置合わせしてカバー体４０をベース３１に仮固定する。この状態が図１３における「Ａ」である。
【００３９】
次に、反射体５０の係合片５６をフレーム体６０の内鍔部６５の溝から挿入させて、フレーム体６０の筒部６１の中心軸廻りに回転させる。これにより、反射体５０の係合片５６がフレーム体６０の６７ａ，６７ｂに係合する。そして、板ばね体８を、支持部８１がフレーム体６０の一対の縦大リブ６１ａ間に、固定部８３が一対の横リブ６５ｈ間に位置するように、配する。この状態が図１３における「Ｂ」である。
【００４０】
カバー体４０の周縁形状と、フレーム体６０の内鍔部６５の板状部分６５ａの内周面形状とを合わせるように、放熱体３０とフレーム体６０体とを突き合わせる。そして、ねじ９３により両者を結合する。
この際、カバー体４０は放熱体３０にねじ等により固定していないが、カバー体４０の光源カバー部４２の外側部分が反射体５０の筒部５１の裏側端よりも大きいため、落下することはない。なお、カバー体４０はフレーム体６０の支持部６６により支持されているので落下することはない。
反射体５０はフレーム体６０に対して回転させることにより係合されるが、係合状態を解除する方向への回転は、カバー体４０がフレーム体６０に嵌合しているため、規制される。このように、照明装置１は少ない工数で組み立てられ、しかも、係合・嵌合を利用して各部材が外れ難い構造とされている。
【００４１】
また、反射体５０の裏側開口の大きさは、裏側開口縁がカバー体４０の光源カバー部４２の外周に位置するように、構成されている。このため、カバー体４０の当接部４１や延伸部４３が表側から見えることはなく、意匠性を高めることができる。
カバー体４０の光源カバー部４２はＬＥＤモジュール２０の実装領域２８を覆い、反射体５０の裏側開口が光源カバー部４２の外側に位置する。このため、ＬＥＤ素子２１から発せられた光の取り出し効率を高めることができる。
フレーム部６は、筒部６１の裏側端がベース３１の表面の周縁部に当接する状態で、放熱部３に固定されている。これにより、フレーム部６の表裏方向の長さを短くできる。
【００４２】
９．熱伝導路
図１４及び図１５を用いて説明する。
ＬＥＤモジュール２０は、基板２３が放熱体３０のベース３１に密着するように、ベース３１に取り付けられている。カバー体４０は、図１５に示すように、ベース３１に対してピン部分４３ｃを利用してベース３１に仮固定されていると共にフレーム体６０の支持部６６により表側から支持（挟持）されている。反射体５０は、反射体５０の筒部５１の裏面がカバー体４０に接触することなく、フレーム体６０に取り付けられている。
このため、ＬＥＤ発光中の熱は、カバー体４０を経由して反射体５０に伝わることはない。
ＬＥＤモジュール２０には１個の消費電力が０．１［Ｗ］以上１［Ｗ］以下に設定された電力変換効率が高い、所謂、「Ｍｉｄ  Ｐｏｗｅｒ」のＬＥＤ素子２１を用いているので、ＬＥＤ素子２１からの発熱が少なく、放熱部３を小型化できる。ここでは、フレーム体６０の下端から放熱体３０の上端までの照明装置１の全高が、設置面へ取り付ける際に、外鍔部６３と板ばね体８とを除く、設置面の開口から裏側に向けて挿入される照明装置１の最大幅（直径）より小さい。照明装置の全高が低くなると設置面の開口への取り付け作業が容易となる。
【００４３】
フレーム体６０は、その裏側端がベース３１と当接する状態で、放熱体３０に取り付けられている。フレーム体６０と放熱体３０との当接位置は放熱体３０のベース３１の周縁側であり、熱発生源のＬＥＤ素子２１はベース３１の中央側に配されている。このため、ＬＥＤ発光中の熱のうち、放熱体３０からフレーム体６０に伝わる熱を少なくできる。
反射体５０は３つの係合片５６を介してフレーム体６０に取付けられている。このため、フレーム体６０から係合片５６を経由して伝わる熱量を少なくできる。反射体５０の筒部５１の裏側端は、フレーム体６０の筒部６１の裏側端よりも表側に位置し、放熱部３のベース３１の表面が平坦であることから、反射体５０が放熱部３に接触することはない。
反射体５０は筒部５１の表側端の外鍔部５３の外周面でフレーム体６０の外鍔部６３と当接する。このように、当接位置がフレーム体６０における放熱体３０と反対側であるため、フレーム体６０の外鍔部６３から反射体５０に伝わる熱量は少ない。
【００４４】
以上、実施形態を説明したが、この実施形態に限られるものではなく、例えば、以下のような変形例であってもよい。また、実施形態と変形例、変形例同士を組み合わせたものであってよい。
また、実施形態や変形例に記載していていない例や、要旨を逸脱しない範囲の設計変更があっても本発明に含まれる。
【００４５】
＜変形例＞
１．光源部
光源部２は、発光素子としてＬＥＤ素子２１を備えていたが、例えば、有機発光素子のような他の発光素子を備えてもよい。
複数個のＬＥＤ素子２１は矩形状に似た形状に配されていたが、他の形状に配されてもよい。例えば、多重の同心円状や管状（放射状）に配されてもよいし、正方形状、長方形状のマトリクス状に配されてもよい。
【００４６】
２．放熱部
放熱部３はベース３１とフィン３３とを例えば冷間鍛造で一体化されていたが、例えば、ベースとフィンとを別体とし、両者を結合するようにしてもよい。放熱部のフィンの形状、個数、配置等は発光素子から発せられる熱量によって適宜決定されるものである。例えば、発光素子の数が少ない場合には、フィンの個数を少なくしてもよいし、長さを短くしてもよい。さらに、フィンを薄肉の金属板で構成してもよい。この場合、ベースを薄肉の金属板で構成してもよい。
放熱体は、裏側から見たときに、円形状をしているが、正方形状等の他の形状であってもよい。
【００４７】
３．透光性カバー部
透光性カバー部４は、カバー体４０で構成したが、例えば、光源カバー部４２に相当する光源カバー体と当接部４１及び延伸部４３に相当する環状体とを別体としてもよい。この場合、両者を結合してもよいし、環状体がフレーム部により表側から支持され、光源カバー体が環状体により表側から支持されてもよい。カバー体を支持する外周体がねじ等の固定具を利用して放熱部に固定されてもよい。
透光性カバー部４はベース３１の中央側で放熱部３に固定されているが、透光性カバー部をベース全面を覆うようなサイズとしてもよい。
カバー体４０はピン部分４３ｃにより放熱体３０に仮固定されているが、例えばねじ等の固定具を利用して放熱部に固定されてもよい。この場合、フレーム体６０の支持部６６はなくてもよいし、あってもよい。
【００４８】
透光性カバー部４は放熱部３に当接するように設けられているが、例えば、透光性カバー部は放熱部との間に隙間が存在するように（当接しないように）設けられてもよい。但し、防塵、防油、防滴、虫の侵入等を考慮すると当接している方が好ましい。
カバー体４０の張出部分４１ｂ，４１ｃは基板２３の形状（張出部２９ｂ，２９ｃ）に合せて設けられていたが、例えば、基板を張出部のない円形状にして張出部分を有しないカバー体としてもよい。
光源カバー部４２の凸部分４２ａは表側から見たときに六角形状をするマイクロレンズにより構成されている。しかしながら、凸部分は、曲面状（ドーム状）、三角錐、円錐等のマイクロレンズにより構成されてもよい。また、マイクロレンズは凸形状ではなく、凹形状の曲面（お皿型）、三角錐、円錐等でもよい。マイクロレンズは、光源カバー部の裏面にのみ設けられてもよいし、光源カバー部の表裏両面に設けられてもよい。
照射面の照度をより均一にするために、マイクロレンズの隣接間距離は、光源部のＬＥＤ素子の隣接間距離より短いことが望ましい。
光源カバー部４２は表側にドーム状に膨出している。光源カバー部の表面及び裏面は光拡散機能を有していないが、光拡散機能を有してもよい。この際、マイクロレンズを有してもよいし、有しなくてもよい。
【００４９】
４．反射部
反射部５は白色塗料を利用した反射面を反射体５０に有しているが、他の形態の反射面を有してもよい。他の形態の反射面を有する例について図１６を用いて説明する。なお、実施形態と同じ構成のものは同じ符号を用い、その説明は省略する。
他の形態の反射体１５０を有する照明装置１０１は、光源部（不図示）２、放熱部３、透光性カバー部４、反射部１０５、フレーム部１０６を備え、板バネ１０８を利用して設置面の開口に取り付けられる。光源部２はＬＥＤモジュール２０により、放熱部３は放熱体３０により、透光性カバー部４はカバー体４０により、それぞれ構成されている。
反射部１０５は反射体１５０により構成され、反射体１５０は筒部１５１を備える。反射体１５０は、筒部１５１の表裏方向の寸法と内周面の反射面とが実施形態の筒部５１と異なる。フレーム部１０６はフレーム体１６０により構成され、実施形態のフレーム体６０の筒部６１と表示方向の寸法が異なる。
【００５０】
以下、反射部１０５の筒部１５１の内面について説明する。
筒部１５１はグレア防止機構として中心軸に向かって突出する多数の突部１５１ａを内周面に有する。突部１５１ａは表裏方向及び周方向に規則正しく設けられている。突部１５１ａの形状は、周方向に同じで表裏方向で異なってもよいし、周方向と表裏方向で同じであってもよいし、周方向と表裏方向で異なってもよい。
突部１５１ａはドーム状に突出する。反射体１５０は樹脂材料により構成され、内周面がメッキ加工されている。つまり、内周面は多数の突部１５１ａを有するメッキ層となっている。
【００５１】
反射部５は、放熱部３と空間的に離間し且つ筒部５１の中心軸と直交する方向から見たときに放熱部３と重ならない状態で、フレーム部６に取り付けられている。しかしながら、反射部は、放熱部と空間的に離間し且つ筒部の中心軸と直交する方向から見たときに放熱部と重ならない状態であれば、フレーム部以外に取り付けられてもよい。例えば、反射部は透光性カバー部に取り付けられてもよい。この場合、反射部は透光性カバー部と接触してもよいし、しなくてもよい。ただし、光源部からの熱伝導を考慮すると、接触しない方が好ましい。
【００５２】
５．フレーム部
フレーム体６０は樹脂材料により構成されているが、例えば、金属で構成してもよいし、例えば、筒部６１を金属筒で構成し、内鍔部６５を樹脂材料で構成してもよい。この場合、一体成形により一体化してもよい。
フレーム体６０は、板ばね体８の固定部８３がベース３１に当接するように、ボス６５ｇを有しているが、板ばね体を表裏方向に移動可能な状態で固定するようにしてもよい。なお、板ばね体をベースと密着する状態で固定すると、放熱部の熱を板ばね体から放出できる。
【符号の説明】
【００５３】
１    照明装置
２    光源部
３    放熱部
４    透光性カバー部
５    反射部
６    フレーム部
２１    ＬＥＤ素子
２３    基板
４１    当接部
４１ｂ  張出部
４１ｃ  張出部
４２    透光性カバー部
４３    延伸部
５１    筒部
５１ａ  内周面（反射面）
５６    係合部
６１    筒部
６５    内鍔部
【図１】
2018081892.tif 000003
【図２】
2018081892.tif 000004
【図３】
2018081892.tif 000005
【図４】
2018081892.tif 000006
【図５】
2018081892.tif 000007
【図６】
2018081892.tif 000008
【図７】
2018081892.tif 000009
【図８】
2018081892.tif 000010
【図９】
2018081892.tif 000011
【図１０】
2018081892.tif 000012
【図１１】
2018081892.tif 000013
【図１２】
2018081892.tif 000014
【図１３】
2018081892.tif 000015
【図１４】
2018081892.tif 000016
【図１５】
2018081892.tif 000017
【図１６】
2018081892.tif 000018